(57)【特許請求の範囲】
【請求項１】
車両に搭載された車両用情報処理装置と、複数の無線装置と、前記車両用情報処理装置からの車両情報を中継する中継装置と、当該中継装置にネットワークを介して接続する配信サーバとを備えた情報配信システムであって、
車両用情報処理装置が、
車両の状態又は車両の周囲の状態を検出するセンサと、
前記車両情報を前記無線装置を介して前記配信サーバに送信する送信制御手段と、
を備え、
中継装置が、
車両用情報処理装置から前記無線装置を介して前記車両情報を受信する車両情報受信制御手段と、
受信した前記車両情報を前記配信サーバに中継する中継手段と、
を備え、
前記車両用情報処理装置或いは中継装置が、
前記車両用情報処理装置の位置を示す位置情報を生成し、前記配信サーバに送信する位置情報生成手段を備え、
前記配信サーバが、
前記車両情報及び位置情報を受信する受信制御手段と、
前記車両情報に基づいて配信するサービス情報を生成するサービス情報生成部と、
前記位置情報に基づいて前記サービス情報を配信する地域を決定し、当該地域を示す配信地域情報を生成する配信地域決定部と、
前記配信地域情報及び前記サービス情報を前記中継装置に送信し、前記サービス情報を前記配信地域情報が示す地域の端末に一斉配信させる配信部と、
を備え、
前記複数の無線装置は、前記車両用情報処理装置と前記中継装置との間の通信を中継する送受信手段を備え、
前記中継装置は、配信地域情報と無線装置のアドレス情報との対応を格納した記憶手段を有しており、前記配信サーバから前記配信地域情報及び前記サービス情報を受信した際に、当該配信地域情報に対応するアドレス情報を有する無線装置に対して、当該サービス情報に一斉送信を示す情報を付加して送信し、
前記無線装置は、前記中継装置から一斉情報を示す情報が付加されたサービス情報を受信した場合に、当該サービス情報を一斉配信する、
情報配信システム。
【請求項２】
前記無線装置は、前記中継装置から一斉情報を示す情報が付加されたサービス情報を受信した場合に、前記サービス情報を電波で出力することにより、当該電波を受信可能な端末に一斉に前記サービス情報を配信する請求項１に記載の情報配信システム。
【請求項３】
前記無線装置が、携帯電話網のセル毎に配置された基地局の送受信装置であり、前記中継装置が、セルブロードキャストにより前記サービス情報を前記基地局の送受信装置に一斉配信させる請求項２に記載の情報配信システム。
【請求項４】
車両に搭載された車両用情報処理装置と、複数の無線装置と、前記車両用情報処理装置からの車両情報を中継する中継装置と、当該中継装置にネットワークを介して接続する配信サーバとを備えた情報配信システムが実行する情報配信方法であって、
車両用情報処理装置が、
車両の状態又は車両の周囲の状態を検出するステップと、
前記車両情報を前記無線装置を介して前記配信サーバに送信するステップと、
を実行し、
中継装置が、
車両用情報処理装置から前記無線装置を介して前記車両情報を受信するステップと、
受信した前記車両情報を前記配信サーバに中継するステップと、
を実行し、
前記車両用情報処理装置或いは中継装置が、
前記車両用情報処理装置の位置を示す位置情報を生成し、前記配信サーバに送信するステップを実行し、
前記配信サーバが、
前記車両情報及び位置情報を受信するステップと、
前記車両情報に基づいて配信するサービス情報を生成するステップと、
位置情報に基づいて前記サービス情報を配信する地域を決定し、当該地域を示す配信地域情報を生成するステップと、
前記配信地域情報及び前記サービス情報を前記中継装置に送信し、前記サービス情報を前記配信地域情報が示す地域の端末に一斉配信させるステップと、
を実行し、
前記中継装置は、前記配信サーバから前記配信地域情報及び前記サービス情報を受信した際に、配信地域情報と無線装置のアドレス情報との対応関係を格納した記憶手段から当該配信地域情報に対応するアドレス情報を取得し、当該アドレス情報を有する無線装置に対して、当該サービス情報に一斉送信を示す情報を付加して送信するステップを実行し、
前記無線装置は、前記中継装置から一斉情報を示す情報が付加されたサービス情報を受信した場合に、当該サービス情報を一斉配信する、
情報配信方法。
【請求項５】
前記無線装置は、前記無線装置は、前記中継装置から一斉情報を示す情報が付加されたサービス情報を受信した場合に、前記サービス情報を電波で出力することにより、当該電波を受信可能な前記端末に一斉に前記サービス情報を配信する請求項４に記載の情報配信方法。
【請求項６】
前記無線装置が、携帯電話網のセル毎に配置された基地局の送受信装置であり、前記中継装置が、セルブロードキャストにより前記サービス情報を前記基地局の送受信装置に一斉配信させる請求項５に記載の情報配信方法。
【発明の詳細な説明】
【技術分野】
【０００１】
本発明は、車両から収集した情報をネットワークを介して配信する技術に関する。
【背景技術】
【０００２】
近年、車載機器等により取得された種々のデータ（現在位置や速度、天候等）を複数の車両から発信させ、これを情報センターにおいて収集すると共に統計処理等を加えて管理し、渋滞情報等のサービス情報として車両に提供するシステムが提案されている。
【０００３】
このようなシステムにおいて、車両と情報センターとの通信は、車両から携帯電話網を介して送信する手法や、車両から路側機との路車間通信を介して送信する手法が用いられる。
【０００４】
また、先行技術としては、以下の文献が存在する。
【先行技術文献】
【特許文献】
【０００５】
【特許文献１】特開２００５−２１７６７７号公報
【特許文献２】特開２００２−２６９０３号公報
【発明の概要】
【発明が解決しようとする課題】
【０００６】
サービス情報を一斉に配信する場合、電子メールで各ユーザ宛てにサービス情報を配信することが考えられるが、この場合、配信するユーザのアドレスを指定して電子メールを送信することになり、サービス情報を配信したいグループに属するユーザのメールアドレスを管理していなければならない。特に、サービス情報として事故や渋滞の情報を配信する場合、この事故や渋滞の発生箇所の周辺にいるユーザに配信したいので、ユーザの位置情報を取得して、この事故や渋滞の発生箇所の周辺にいるユーザを特定し、各ユーザのアドレスを抽出して当該アドレス宛てにサービス情報を配信することになり、配信先の管理が煩雑になるという問題があった。
【０００７】
一方、ユーザのメールアドレスを特定するのではなく、事故や渋滞の発生箇所に設置されている路側機や基地局から無線でサービス情報を発信することで、この電波の届く範囲のユーザにサービス情報を一斉配信する手法も考えられる。
【０００８】
しかし、路側機を介してサービス情報を提供する場合、サービス情報の提供先が車両に限られてしまい、歩行者など車両以外へも一斉にサービス情報を配信することが難しいという問題があった。
【０００９】
また、携帯電話網を介してサービス情報を配信する場合、携帯電話網がキャリヤ毎に分かれており、キャリヤ毎に情報センターを設置したのでは、異なるキャリヤの携帯電話網へサービス情報を一斉に配信するのが難しいという問題があった。
【００１０】
そこで、本発明では、車両から収集した情報に基づくサービス情報を容易に一斉配信する技術を提供する。
【課題を解決するための手段】
【００１１】
開示の一実施形態としての情報配信システムは、
車両に搭載された車両用情報処理装置と、複数の無線装置と、前記車両用情報処理装置からの車両情報を中継する中継装置と、当該中継装置にネットワークを介して接続する配信サーバとを備えた情報配信システムであって、
車両用情報処理装置が、
車両の状態又は車両の周囲の状態を検出するセンサと、
前記車両情報を前記無線装置を介して前記配信サーバに送信する送信制御手段と、
を備え、
中継装置が、
車両用情報処理装置から前記無線装置を介して前記車両情報を受信する車両情報受信制御手段と、
受信した前記車両情報を前記配信サーバに中継する中継手段と、
を備え、
前記車両用情報処理装置或いは中継装置が、
前記車両用情報処理装置の位置を示す位置情報を生成し、前記配信サーバに送信する位置情報生成手段を備え、
前記配信サーバが、
前記車両情報及び位置情報を受信する受信制御手段と、
前記車両情報に基づいて配信するサービス情報を生成するサービス情報生成部と、
前記位置情報に基づいて前記サービス情報を配信する地域を決定し、当該地域を示す配信地域情報を生成する配信地域決定部と、
前記配信地域情報及び前記サービス情報を前記中継装置に送信し、前記サービス情報を前記配信地域情報が示す地域の端末に一斉配信させる配信部と、
を備え、
前記複数の無線装置は、前記車両用情報処理装置と前記中継装置との間の通信を中継する送受信手段を備え、
前記中継装置は、配信地域情報と無線装置のアドレス情報との対応を格納した記憶手段を有しており、前記配信サーバから前記配信地域情報及び前記サービス情報を受信した際に、当該配信地域情報に対応するアドレス情報を有する無線装置に対して、当該サービス情報に一斉送信を示す情報を付加して送信し、
前記無線装置は、前記中継装置から一斉情報を示す情報が付加されたサービス情報を受信した場合に、当該サービス情報を一斉配信する。
【発明の効果】
【００１２】
本発明によれば、車両から収集した情報に基づくサービス情報を容易に一斉配信する技術を提供できる。
【図面の簡単な説明】
【００１３】
【図１】情報配信システムの概略構成図
【図２】情報配信サーバのブロック図
【図３】車載装置のブロック図
【図４】中継装置のブロック図
【図５】無線装置のブロック図
【図６】端末のブロック図
【図７】情報配信方法の説明図
【図８】情報配信方法の説明図
【図９】エリアテーブルの一例を示す図
【図１０】エリアテーブルの一例を示す図
【図１１】エリアテーブルの一例を示す図
【図１２】エリアテーブルの一例を示す図
【発明を実施するための形態】
【００１４】
以下、図面を参照して本発明を実施するための形態について説明する。以下の実施の形態の構成は例示であり、本発明は実施の形態の構成に限定されない。
【００１５】
＜システムの概略構成＞
本実施形態の情報配信システムは、車両から収集した車両情報に基づいて、周囲の車両や歩行者等にサービス情報を一斉配信する。
【００１６】
図１は本実施形態のシステム構成図である。情報配信システム１０は、車両情報を送信
する車両の車載装置(車両用情報処理装置)１や、歩行者等が有する端末７、前記車載装置１と通信する或いは端末７へサービス情報を送信する無線装置２、各無線装置２から情報配信サーバへ或いは情報配信サーバ６から無線装置２へ情報を中継する中継装置３、中継装置３を介して情報を配信する情報配信サーバ６を有している。
【００１７】
なお、中継装置３は、携帯電話網の中継装置３Ａ〜３ＣやＩＴＳ（高度道路交通システム）における中継装置３Ｄがある。携帯電話網の中継装置３Ａ〜３Ｃは、携帯電話のキャリヤ毎に存在し、例えばＡ社の中継装置を３Ａ、Ｂ社の中継装置を３Ｂ、Ｃ社の中継装置を３Ｃと示した。
【００１８】
無線装置２は、携帯電話のキャリヤ毎に複数存在する。例えばＡ社の無線装置であれば２Ａ−１〜２Ａ−３、Ｂ社の中継装置であれば２Ｂ−１〜２Ｂ−３、Ｃ社の中継装置であれば２Ｃ−１〜２Ｃ−３のように示す。また、ＩＴＳにおける無線装置２は、主に道路に沿って配置された路側機４１〜５２であり、図１ではエリアＸに路側機４１〜４４が、エリアＹに路側機４５〜４８が、エリアＺに路側機４９〜５２が設けられている。
【００１９】
情報配信サーバ６は、携帯電話のキャリヤやプロバイダーの種類にかかわらずアクセス可能なインターネット等のネットワークＮと接続している。また、携帯電話網の中継装置３Ａ〜３Ｃや、ＩＴＳの中継装置３ＤもネットワークＮと接続しており、ネットワークＮを介して情報配信サーバ６から各管理装置３への情報の送信が可能である。
【００２０】
車両が事故等に遭遇すると車載装置１は、緊急情報として車両情報を情報配信サーバ６に送信する。ここで、車載装置１が、携帯電話網を使用する場合、車両情報を電波で出力し、当該電波を受けた基地局の無線装置２が車両情報を受信し、車両情報を中継装置３へ送信する。中継装置３は車載装置１から受信した車両情報をネットワークＮを介して情報配信サーバ６へ送信する。このとき中継装置３は、当該車両情報を受信した無線装置２のエリアを示す情報を位置情報として車両情報と共に情報配信サーバ６に送信する。
【００２１】
また、車載装置１が、ＩＴＳを使用する場合、車両情報を無線で無線装置（路側機４１〜５２の何れか）へ送り、路側機４１〜５２が中継器３Ｄへ車両情報を送る。中継装置３Ｄは、車載装置１から受信した車両情報をネットワークＮを介して情報配信サーバ６へ送信する。このとき中継装置３は、当該車両情報を受信した路側機４のエリアを示す情報を位置情報として車両情報と共に情報配信サーバ６に送信する。
【００２２】
情報配信サーバ６は、受信した車両情報と位置情報に応じてサービス情報及び配信するエリアを示す情報（配信エリア情報）を生成し、携帯電話網の各中継装置３やＩＴＳの中継装置５に送信する。
【００２３】
中継装置３は、配信エリア情報で示されるエリアの無線装置２にサービス情報を送信し、当該エリアにいる車両や歩行者等の端末に対してサービス情報を一斉配信させる。これにより例えば、車両がエリアＸで事故を起こした場合、エリアＸにいる車両や歩行者に事故の発生を知らせ、注意を促す。
【００２４】
図２は、情報配信サーバ６の構成を示す図である。情報配信サーバ６は、図２に示すように、データの演算処理を行うデータ処理部６１と、他の装置との通信を行う通信部６２、演算処理の為のデータやソフトウェアを記憶する記憶部（ハードディスク）６３、入出力部６４を備えたコンピュータである。
【００２５】
通信部６２は、ネットワークＮを介して他のコンピュータとの通信を行い、車両情報の受信やサービス情報の送信等を行う。
【００２６】
記憶部６３は、オペレーティングシステム（ＯＳ）やアプリケーションプログラム（情報配信プログラム）を記憶している。
【００２７】
入出力部６４は、データ処理部６１へ情報を入力する手段として、キーボードやポインティングデバイスといったユーザインタフェースや、メモリカード、ＣＤ−ＲＯＭといった記憶媒体から情報を読み取るデバイスを有する。
【００２８】
また、入出力部６４は、データ処理部６１の処理結果を出力する手段として、処理結果等を表示する表示装置や、データを印刷するプリンタを有する。
【００２９】
データ処理部６１は、ＣＰＵやメインメモリを有し、前記ＯＳやアプリケーションプログラムを記憶部６３からメインメモリに読み出し、読み出したＯＳやアプリケーションプログラムに従ってＣＰＵが演算処理を行う。この演算処理により、ＣＰＵは、受信制御手段６１０や、サービス情報生成手段６１１、配信地域決定手段６１２、配信手段６１３としても機能する。
【００３０】
データ処理部６１による受信制御手段６１０は、通信部６２を介して車両情報及び位置情報を受信する。
データ処理部６１によるサービス情報生成手段６１１は、受信制御手段６１０で受信した車両情報に基づいて配信するサービス情報を生成する。
【００３１】
データ処理部６１による配信地域決定手段６１２は、位置情報に基づいて前記サービス情報を配信する地域を決定し、当該地域を示す配信地域情報を生成する。
【００３２】
データ処理部６１による配信手段６１３は、前記配信地域情報及び前記サービス情報を前記中継装置に送信し、前記サービス情報を前記配信地域情報が示す地域に存在する端末７に一斉配信させる。
【００３３】
図３は、車載装置１の機能ブロック図である。車載装置１は、図３に示すように、データの演算処理を行うデータ処理部１１と、他の装置との通信を行う通信部１２、演算処理の為のデータやソフトウェアを記憶する記憶部（ハードディスク）１３、入出力部１４を備えたコンピュータである。本例の車載装置１は、情報配信サーバ６へ車両情報を送信する機能に加え、サービス情報を受信する端末７の機能も有している。
【００３４】
通信部１２は、無線通信回線を介して他の装置との通信を行い、車両情報の送信やサービス情報の受信等を行う。通信部１２は、例えば、基地局と電波で通信する携帯電話や、ＷｉＭＡＸ、ＤＳＲＣ（Dedicated Short Range Communication）等の通信モジュールで
ある。
【００３５】
記憶部１３は、オペレーティングシステム（ＯＳ）やアプリケーションプログラムを記憶している。
【００３６】
入出力部１４は、データ処理部１１へ情報を入力する手段として、操作ボタンやリモコン、タッチパネルといったユーザインタフェースや、メモリカード、ＤＶＤ−ＲＯＭといった記憶媒体から情報を読み取るデバイス、車両の状態又は車両の周囲の状態を車両情報として検出するセンサ１４１を有する。センサ１４１は、例えば、車速センサやＧセンサ、スリップセンサ、車輪の回転速度センサといった車両の走行状態を検出するものの他、アクセル開度センサやステアリング操舵角センサ、ブレーキ踏み量センサ（マスタ圧センサ）、ギアのポジションセンサといった運転操作状態を検出するもの、エアバック作動状
態検知用センサ、ワイパー作動状態検知用センサ、ライト作動状態検知用センサ、ＡＢＳ(Antilock Brake System)作動状態検知用センサといった車載機器の作動状態を検出する
ものを広く含む。また、センサ１４１は、オートワイパ用レインセンサ、オートライト用照度センサ、障害物検出用センサ、外気温センサといった車両の周囲の状態を検出するものを含む。
【００３７】
また、入出力部１４は、データ処理部１１の処理結果を出力する手段として、処理結果等を表示する表示装置や、音を出力するスピーカを有する。
【００３８】
データ処理部１１は、ＣＰＵやメインメモリを有し、前記ＯＳやアプリケーションプログラムを記憶部１３からメインメモリに読み出し、読み出したＯＳやアプリケーションプログラムに従ってＣＰＵが演算処理を行う。この演算処理により、ＣＰＵは、送信制御手段１１０や、サービス情報処理手段１１１、受信制御手段１１２、車両情報判定手段１１３としても機能する。
【００３９】
データ処理部１１による車両情報判定手段１１３は、センサ１４１の検出結果が所定条件を満たしたか否かを判定し、条件を満たした場合に条件に対応した車両情報を生成する。例えば、車両情報判定手段１１３は、一斉配信すべき条件を予め定め、この所定条件を満たしたと判定した場合に、事故といった車両の状況情報を情報配信サーバ６に送信する。なお、所定条件を満たさないと判定した場合には、車両情報を情報配信サーバ６に送信しなくても良い。具体的には、事故が発生した場合など、緊急に他の車両に一斉配信すべき条件を定め、当該所定条件を満たした場合の緊急情報のみを車両情報情報として情報配信サーバ６へ送信する。これにより、必要な情報のみを一斉配信することができ、無駄なトラヒックを増加させることがない。
【００４０】
データ処理部１１による送信制御手段１１０は、車両情報を通信部１２により情報配信サーバ６へ送信させる。
【００４１】
データ処理部１１による受信制御手段１１２は、通信部１２を介して情報配信サーバ６からのサービス情報を受信してメモリ或いは記憶部１３に記憶させる。
【００４２】
データ処理部１１によるサービス情報処理手段１１１は、情報配信サーバ６から受信したサービス情報に基づく処理、例えば交通情報の表示や警告音の出力、車載機器の制御、車速の制御を行う。
【００４３】
図４は、中継装置の機能ブロック図である。中継装置３は、図２に示すように、データの演算処理を行うデータ処理部３１と、他の装置との通信を行う通信部３２、演算処理の為のデータやソフトウェアを記憶する記憶部（ハードディスク）３３、入出力部３４を備えたコンピュータである。
【００４４】
通信部３２は、ネットワークＮを介して他のコンピュータとの通信を行い、車両情報の受信やサービス情報の送信等を行う。
【００４５】
記憶部３３は、ハードディスクやフラッシュメモリ等の記憶装置であり、オペレーティングシステム（ＯＳ）やアプリケーションプログラム（情報配信プログラム）を記憶する。また、記憶部３３は、エリアテーブル３３１も記憶する。なお、本例では、エリアテーブルを記憶部３３が記憶するが、データ処理部３１のメモリが記憶する構成でも良い。
【００４６】
入出力部３４は、データ処理部３１へ情報を入力する手段として、キーボードやポインティングデバイスといったユーザインタフェースや、メモリカード、ＣＤ−ＲＯＭといっ
た記憶媒体から情報を読み取るデバイスを有する。
【００４７】
また、入出力部３４は、データ処理部３１の処理結果を出力する手段として、処理結果等を表示する表示装置や、警告音等の音を出力するスピーカを有する。
【００４８】
データ処理部３１は、ＣＰＵやメインメモリを有し、前記ＯＳやアプリケーションプログラムを記憶部３３からメインメモリに読み出し、読み出したＯＳやアプリケーションプログラムに従ってＣＰＵが演算処理を行う。この演算処理により、ＣＰＵは、受信制御手段３１０や、中継先決定手段３１１、位置情報生成手段３１２、送信制御手段３１３としても機能する。
【００４９】
データ処理部３１による受信制御手段３１０は、通信部３２を制御して車載装置１から車両情報を受信する。本例では、車載装置１が無線装置２に車両情報を送り、受信制御手段３１０が無線装置２との接続を確立して車両情報を受信する。
【００５０】
また、受信制御手段３１０は、通信部３２を制御して情報配信サーバ６との接続を確立し、当該情報配信サーバ６からサービス情報を受信する。
なお、受信制御手段３１０は、受信した車両情報やサービス情報をメインメモリや記憶部３３内に設けたバッファに一時的に格納する。
【００５１】
データ処理部３１による中継先決定手段３１１は、サービス情報の配信エリア情報に基づき中継先を決定する。例えばサービス情報としてのパケットのヘッダに、当該パケットの配信先のエリアを特定するコードが含まれていた場合に、当該コードと対応する無線装置２を中継先としてエリアテーブル３３１から求める。
【００５２】
データ処理部３１による位置情報生成手段３１２は、車載装置１の位置を示す位置情報を生成し、情報配信サーバ６に送信する。
【００５３】
データ処理部３１による送信制御手段３１３は、車載装置１から受信した車両情報を配信サーバ６へ通信部３２を介して中継（送信）する。また、送信制御手段３１３は、配信サーバ６から受信したサービス情報を中継先決定手段３１１で決定した中継先に通信部３２を介して中継（送信）する。
図５は、無線装置２のブロック図である。無線装置２は、図５に示すように、データの演算処理を行うデータ処理部２１と、他の装置との通信を行う通信部２２、演算処理の為のデータやソフトウェアを記憶する記憶部（ハードディスク）２３、入出力部２４を備える。
通信部２２は、車載装置１からの車両情報の受信や、端末７（本例では車載装置１も含む）へのサービス情報の送信を行う。本例の通信部２２は、車載装置１や端末７と電波によって通信するが、これに限らず、無線通信であれば、光通信などであっても良い。
【００５４】
記憶部２３は、ハードディスクやフラッシュメモリ等の記憶装置であり、オペレーティングシステム（ＯＳ）やファームウェア、アプリケーションプログラムを記憶する。
【００５５】
入出力部２４は、データ処理部２１へ情報を入力する手段として、コンソールといったユーザインタフェースや、メモリカード、ＣＤ−ＲＯＭといった記憶媒体から情報を読み取るデバイスを有する。
【００５６】
また、入出力部２４は、データ処理部３１の処理結果を出力する手段として、処理結果等を表示する表示装置や、音声メッセージや警告音等の音を出力するスピーカを有する。
【００５７】
データ処理部２１は、ＣＰＵやメインメモリを有し、前記ＯＳやファームウェアを記憶部２３からメインメモリに読み出し、読み出したＯＳやファームウェアに従ってＣＰＵが演算処理を行う。この演算処理により、ＣＰＵは、受信制御手段２１０や、送信制御手段２１１としても機能する。
【００５８】
データ処理部２１による受信制御手段２１０は、通信部２２を制御して車載装置１から車両情報を受信する。また、受信制御手段２１０は、通信部２２を制御して中継装置３からサービス情報を受信する。
【００５９】
データ処理部２１による送信制御手段２１１は、通信部２２を制御して車載装置１へサービス情報を送信する。また、送信制御手段２１１は、通信部２２を制御して中継装置３へ車両情報を送信する。
図６は、端末７のブロック図である。端末７は、車載装置を備えていない自転車や二輪車等の運転者や歩行者（便宜上歩行者等とも称す）が備える携帯電話やＰＤＡ、スマートフォン、ノートパソコン、ハンディナビゲーションシステムといった装置である。端末７は、図６に示すように、データの演算処理を行うデータ処理部２１と、他の装置との通信を行う通信部７２、演算処理の為のデータやソフトウェアを記憶する記憶部（ハードディスク）７３、入出力部７４を備える。
通信部７２は、無線装置２との通信を行う。
【００６０】
記憶部７３は、ハードディスクやフラッシュメモリ等の記憶装置であり、オペレーティングシステム（ＯＳ）やファームウェア、アプリケーションプログラムを記憶する。
【００６１】
入出力部７４は、データ処理部７１へ情報を入力する手段として、操作部（入力ボタン）やマイクといったユーザインタフェースのほか、メモリカード、ＣＤ−ＲＯＭといった記憶媒体から情報を読み取るデバイスを有する。
【００６２】
また、入出力部７４は、データ処理部７１の処理結果を出力する手段として、処理結果等を表示する表示装置や、警告音等の音を出力するスピーカを有する。
【００６３】
データ処理部７１は、ＣＰＵやメインメモリを有し、前記ＯＳやファームウェアを記憶部７３からメインメモリに読み出し、読み出したＯＳやファームウェアに従ってＣＰＵが演算処理を行う。この演算処理により、ＣＰＵは、受信制御手段７１０や、サービス情報処理手段７１１としても機能する。
【００６４】
データ処理部７１による受信制御手段７１０は、通信部２２を制御して中継装置３からサービス情報を受信する。
【００６５】
データ処理部７１によるサービス情報処理手段７１１は、情報配信サーバ６から受信したサービス情報に基づく処理、例えば交通情報の表示や警告音の出力を行う。
【００６６】
なお、本例の車載装置１、中継装置３、情報配信サーバ６の構成要素のうち、情報を処理する要素は、汎用のプロセッサがソフトウェアとしての解析プログラムを実行することによって、上記各機能を実現するものである。これら情報を処理する要素の一部或いは全部は、基本的な回路を組み合わせて各々の機能を実現したハードウェアであっても良い。
【００６７】
本例の情報配信サーバ６において、受信制御手段６１０や、サービス情報生成手段６１１、配信地域決定手段６１２、配信手段６１３が、前記情報を処理する要素である。また、車載装置１において、送信制御手段１１０や、サービス情報処理手段１１１、受信制御手段１１２、車両情報判定手段１１３が前記情報を処理する要素である。中継装置３にお
いて、受信制御手段３１０や、中継先決定手段３１１、位置情報生成手段３１２、送信制御手段３１３が前記情報を処理する要素である。無線装置２において、受信制御手段２１０や、送信制御手段２１１が前記情報を処理する要素である。そして、端末７において、受信制御手段７１０や、サービス情報処理手段７１１が前記情報を処理する要素である。
【００６８】
これら情報を処理する要素であるハードウェアは、例えば、ＦＰＧＡ［Field Programmable Gate Array］、ＡＳＩＣ［Application Specific Integrated Circuit］、ＬＳＩ［Large Scale Integration］といった基本的な回路を備えても良い。また、当該ハードウ
ェアは、ＩＣ［Integrated Circuit］、ゲートアレイ、論理回路、信号処理回路、アナログ回路といった基本的な回路を備えても良い。
【００６９】
論理回路としては、例えば、ＡＮＤ回路、ＯＲ回路、ＮＯＴ回路、ＮＡＮＤ回路、ＮＯＲ回路、フリップフロップ回路、カウンタ回路がある。信号処理回路には、信号値に対し、例えば、加算、乗算、除算、反転、積和演算、微分、積分を実行する回路が、含まれていてもよい。アナログ回路には、例えば、信号値に対して、増幅、加算、乗算、微分、積分を実行する回路が、含まれていてもよい。
【００７０】
〈情報配信方法〉
図７，８は、上記システムにおいて、配信サーバ６が情報配信プログラムに従って実行する情報配信方法の説明図である。
【００７１】
車載装置１が車両情報を検出し（Ｓ１）、情報配信サーバ６宛てに該車両情報を通信部１２により電波として出力すると（Ｓ２）、当該電波を無線基地局の無線装置２が受信する（Ｓ３）。無線装置２は、受信した車両情報を所定形式のパケットとし、局間ネットワークを介して中継装置３に送信する（Ｓ４）。
【００７２】
中継装置３の受信制御手段３１０は、無線装置２との接続を確立し、当該無線装置２から車両情報を受信する（Ｓ５）。そして、中継装置３の位置情報生成手段３１２は、車両情報のパケットの送信元から位置情報を求める（Ｓ６）。例えば、無線装置２Ａ−１から車両情報を受信し、車両情報の送信元のアドレスが無線装置２Ａ−１のアドレス10.0.0.11であった場合、位置情報生成手段３１２は、図９に示すエリアテーブル３３１を参照し
、当該車両情報を発信した車載装置１の位置情報として、アドレス10.0.0.11と対応する
エリアＸを示す情報(エリアコード)XXXを求める。
【００７３】
中継装置３の送信制御手段３１３は、受信制御手段３１０によって受信した車両情報に位置情報生成手段３１２によって求めた位置情報を付加して配信サーバ６へ中継する（Ｓ７）。
【００７４】
配信サーバ６は、受信制御手段６１０によって車両情報を受信し（Ｓ８）、受信した車両情報に基づいてサービス情報生成手段６１１がサービス情報を生成する（Ｓ９）。例えば、受信した車両情報が事故情報であれば、「エリアＸで事故が発生しました。注意して通行してください。」のようなメッセージをサービス情報として生成する。
サービス情報は、この他、「首都高Ｃ２のエリアＹで渋滞中です。」「エリアＺで路面が凍結しています。」など、車両情報の内容に応じた情報を生成する。例えば、事故、渋滞、横風といった車両の状況毎に、メッセージのテンプレートを作成しておき、エリア名や道路名などを挿入してメッセージを作成する。
【００７５】
また、配信サーバ６の配信地域決定部６１２は、受信した車両情報のパケットに含まれる位置情報に基づいて前記サービス情報を配信する地域を決定し、当該地域を示す配信地域情報を生成する（Ｓ１０）。
【００７６】
そして、配信サーバ６の配信手段６１３は、配信地域決定部６１２で決定した配信地域情報及び前記サービス情報を所定形式のパケットとし、各中継装置３Ａ−３Ｄに送信する（Ｓ１１）。
【００７７】
中継装置３の受信制御手段３１０が配信サーバ６からのパケットを受信すると（Ｓ１２）、中継先決定手段３１１が、エリアテーブル３３１を参照し、当該パケットの配信エリア情報と対応する無線装置２のアドレスを中継先に決定する（Ｓ１３）。
【００７８】
中継装置３の送信制御手段３１３は、前記サービス情報に一斉配信を示す情報を付加し、所定形式のパケットとして中継先の無線装置２へ送信する（Ｓ１４）。
【００７９】
無線装置２は、受信したパケットのヘッダを確認し、一斉配信を示す情報が付加されていた場合、当該パケットのサービス情報を電波で一斉配信する（Ｓ１５）。
【００８０】
一斉配信された情報は、無線装置２からの電波を受信できる範囲(エリア)に存在する端末によって受信され（Ｓ１６）、サービス情報の表示、アラーム音や音声メッセージの出力、車載機器の制御など、サービス情報に応じた処理を行う（Ｓ１７）。
【００８１】
このように、一斉配信する範囲に存在する無線装置２を選択し、当該無線装置２から無線でサービス情報を出力することにより、そのサービス情報が受信可能な範囲に存在する特定の端末に、サービス情報を受信させることにより、配信先の端末をグループ管理するといった複雑な処理が必要なく、容易にサービス情報を一斉配信することができる。
【００８２】
この一斉配信方法の各処理における詳細な説明を以下に記載する。
【００８３】
［車両情報の検出と判定］
車両情報判定手段１１３は、センサ１４１で検出した車両情報に基づき車両が周囲へ報知すべき状況にあるか、即ち車両情報が所定条件を満たすか否かを判定する。ここで、周囲へ配信すべき状況とは、例えば事故の発生である。自動車事故が発生した場合、後続車による事故車両への追突や事故の処理を行う作業者との接触といった二次災害の発生、渋滞、交通規制の発生が考えられ、周囲への報知が望まれる。このため、車両情報判定手段１１３は、車両情報に基づいて事故を検出した場合には、情報配信サーバ６へ事故の情報を送信する。
【００８４】
車両情報判定手段１１３が事故の発生を判定するための条件としては、例えばエアバックが作動したか否かを検出するエアバック作動状態検知用センサがエアバックの作動を検知したことや、Ｇセンサにより所定値以上のＧ（加速度或いは減速度）を検知したことを条件とする。車両情報判定手段１１３は、これら事故発生の所定条件を満たした場合に事故が発生したと判定する。
【００８５】
また、周囲へ配信すべき状況は、事故の発生に限らず、路面凍結や横風、渋滞の発生などであっても良い。
【００８６】
例えば、車輪の回転速度センサによって検出した車輪の回転速度に基づく車速と車速センサによって検出した車速を比較して異なっており、且つ外気温センサが所定値以下（例えば氷点下）の温度を検出したことを路面凍結の条件とし、この条件を満たした場合に路面凍結が発生したことを検出する。
【００８７】
また、ステアリング操舵角センサによって操舵が検出されていないとき、即ち直進時に
、Ｇセンサで所定値以上のヨー方向の加速度を検出したことを横風発生の条件とし、この条件を満たした場合に横風の発生を検出する。
【００８８】
更に、カーナビゲーションシステムの地図情報に基づいて、道路に沿って進行していると判定し、且つ所定距離未満で、アクセル開度センサ及びブレーキ踏み量センサによって発進と停止の繰り返しを検出したことを渋滞の条件とし、この条件を満たした場合に渋滞の発生を検出する。
【００８９】
また、上記条件に限らず周囲へ配信すべき状況の所定条件は、センサ１４１の検出結果に基づくものであれば良く、検出する状況に合わせて任意に設定できる。
【００９０】
［位置情報の生成］
中継装置３の位置情報生成手段３１２は、無線装置２から車両情報を受信した場合、無線装置２の存在するエリアを示すエリアテーブルを参照し、送信元の無線装置２と対応するエリアを示す情報を位置情報として受信した車両情報に付加する。図９−図１２は、エリアテーブルの一例を示す図である。エリアテーブルは、無線装置２の識別情報（アドレス）と無線装置２が存在するエリアを示す情報とを対応つけて記憶している。無線装置２Ａ−１のアドレスが10.0.0.11、無線装置２Ａ−２のアドレスが10.0.0.12、無線装置２Ａ−３のアドレスが10.0.0.13、エリアＸを示す情報がXXX、エリアＹを示す情報がYYY、エ
リアＺを示す情報がZZZであり、中継装置３Ａが図９のエリアテーブル３３１を備えてい
る場合に、位置情報生成手段１１３は、受信した車両情報の送信元のアドレスが例えば10.0.0.11であれば、図９のエリアテーブルに基づき10.0.0.11と対応するXXXを位置情報と
して識別情報に付加する。これにより当該車両情報を送信した車両がエリアＸに存在することを示す。
【００９１】
同様に、無線装置２Ｂ−１のアドレスが10.255.255.111、無線装置２Ｂ−２のアドレスが10.255.255.112、無線装置２Ｂ−３のアドレスが10.255.255.113、エリアＸを示す情報がXXX、エリアＹを示す情報がYYY、エリアＺを示す情報がZZZであり、中継装置３Ｂが図
１０のエリアテーブルを備えている場合に、中継装置３Ｂの位置情報生成手段１１３は、受信した車両情報の送信元のアドレスが例えば10.255.255.112であれば、図１０のエリアテーブルに基づき従い10.255.255.112と対応するYYYを位置情報として識別情報に付加す
る。
【００９２】
また、無線装置２Ｃ−１のアドレスが172.16.0.11、無線装置２Ｃ−２のアドレスが172.16.0.12、無線装置２Ｃ−３のアドレスが172.16.0.13、エリアＸを示す情報がXXX、エリアＹを示す情報がYYY、エリアＺを示す情報がZZZであり、中継装置３Ｃが図１１のエリアテーブルを備えている場合に、中継装置３Ｃの位置情報生成手段１１３は、受信した車両情報の送信元のアドレスが例えば172.16.0.13であれば、図１１のエリアテーブルに基づ
き従い72.16.0.13と対応するZZZを位置情報として識別情報に付加する。
【００９３】
更に、無線装置４１−５２のアドレスが10.0.0.141−10.0.0.152、エリアＸを示す情報がXXX、エリアＹを示す情報がYYY、エリアＺを示す情報がZZZであり、中継装置５が図１
２のエリアテーブルを備えている場合に、中継装置３Ｂの位置情報生成手段１１３は、受信した車両情報の送信元のアドレスが例えば10.0.0.143であれば、図１２のエリアテーブルに基づき従い10.0.0.143と対応するXXXを位置情報として識別情報に付加する。
【００９４】
また、位置情報生成手段は、中継装置３に限らず、無線装置２や車載装置１に備えられていても良い。
【００９５】
位置情報生成手段が無線装置２に備えられている場合、各無線装置２の位置情報生成手
段が、それぞれ自装置の存在するエリアを記憶しておき、受信した車両情報に当該エリアを示す情報を位置情報として付加して中継装置３に送信する。例えば、無線装置２Ａ−１の位置情報生成手段であれば、受信した車両情報にエリアＸを示す位置情報XXXを付加し
、無線装置２Ｂ−２の位置情報生成手段であれば、受信した車両情報にエリアＹを示す位置情報YYYを付加する。
【００９６】
また、位置情報生成手段が車載装置１に備えられている場合、位置情報生成手段はＧＰＳにより自車位置の緯度及び経度を求め、これを位置情報として車両情報に付加して送信する。また、車載装置１の位置情報生成手段は、ＧＰＳによる緯度及び経度に加え、地図情報やセンサ１４１の検出結果に基づき走行中の道路名や走行方向などの情報を位置情報として送信しても良い。
【００９７】
［配信地域の決定］
情報配信サーバ６の配信地域決定手段６１２は、車載装置１から中継装置３を介して受信した車両情報と位置情報とに基づいてサービス情報を配信する地域を決定する。特に、本例の配信地域決定手段６１２は、車両情報と位置情報の内容を所定条件に照らし、位置情報が示すエリアに基づく配信範囲を決定する。
【００９８】
例えば、以下のような条件に基づいて配信範囲を決定する。
【００９９】
（１）車両情報が事故の発生の場合に、当該車両情報を送信した車両の位置、即ち位置情報が示すエリアとその隣接するエリアを配信エリアとする。
（２）車両情報が横風の発生の場合、位置情報が示すエリアのみを配信エリアとする。
（３）千代田区、中央区、港区、或いは東京南部、神奈川北部、神奈川東部など、複数のエリアをブロックとして登録しておき、車両情報が渋滞の発生の場合に、位置情報が示すエリアと同じブロックに属するエリアを配信エリアとする。
（４）道路と前記エリアとの位置関係を記録しておき、車両情報が事故の発生であって、位置情報として自車位置（事故発生位置）、道路名、走行方向を受信した場合に、当該道路上であって事故発生位置より下流側（前記走行方向と反対側）に位置する所定数のエリアを配信エリアとする。例えば、国道１６号線を東京方向に走行中、或る位置(緯度ｘ
、経度y）で事故が発生した場合、国道１６号線上の当該事故発生位置(緯度ｘ、経度y）
から東京都反対方向の３つのエリアを配信エリアとする。
【０１００】
なお、配信地域決定手段６１２は、緯度及び経度とエリアとを対応つけて記憶したテーブルを備え、車載車載装置１から受信した位置情報が、緯度及び経度の場合、前記テーブルを参照して当該位置情報を送信した車両が存在したエリアを求めても良い。
【０１０１】
［一斉配信］
上記携帯電話網を用いた無線装置２は、所謂セルブロードキャストによってサービス情報を一斉配信する例を示したが、これに限らず、複数の端末に一斉配信できる手法であれば良い。例えば、ＮＴＴドコモのｉチャネル、ａｕのEZニュースフラッシュ、ソフトバンクのS!キャストのようなプッシュ配信であっても良い。
【０１０２】
また、車載装置１及び端末と無線装置２とが無線ＬＡＮで通信する場合、無線装置２からブロードキャスト（ＩＰｖ６ではマルチキャスト）によって一斉配信する構成であっても良い。また、ＷｉＭＡＸやBluetoothによって一斉配信する構成でも良い。
【０１０３】
〈その他〉
本発明は、上述の図示例にのみ限定されるものではなく、本発明の要旨を逸脱しない範囲内において種々変更を加え得ることは勿論である。
【０１０４】
例えば、以下に付記した構成であっても上述の実施形態と同様の効果が得られる。また、これらの構成要素は可能な限り組み合わせることができる。
【０１０５】
（付記１）
車両に搭載された車両用情報処理装置と、当該車両用情報処理装置からの車両情報を中継する中継装置と、当該中継装置にネットワークを介して接続する配信サーバとを備えた情報配信システムであって、
車両用情報処理装置が、
車両の状態又は車両の周囲の状態を検出するセンサと、
前記車両情報を前記配信サーバに送信する送信制御手段と、
を備え、
中継装置が、
車両用情報処理装置から前記車両情報を受信する車両情報受信制御手段と、
受信した前記車両情報を前記配信サーバに中継する中継手段と、
を備え、
前記車両用情報処理装置或いは中継装置が、
前記車両用情報処理装置の位置を示す位置情報を生成し、前記配信サーバに送信する位置情報生成手段を備え、
前記配信サーバが、
前記車両情報及び位置情報を受信する受信制御手段と、
前記車両情報に基づいて配信するサービス情報を生成するサービス情報生成部と、
位置情報に基づいて前記サービス情報を配信する地域を決定し、当該地域を示す配信地域情報を生成する配信地域決定部と、
前記配信地域情報及び前記サービス情報を前記中継装置に送信し、前記サービス情報を前記配信地域情報が示す地域の端末に一斉配信させる配信部と、
を備えた情報配信システム。
【０１０６】
（付記２）
前記地域毎に無線装置が配置され、前記中継装置が前記配信サーバから受信した配信地域情報によって示される地域の無線装置に前記サービス情報を送信し、前記無線装置が前記サービス情報を電波で出力することにより、当該電波を受信可能な前記端末に一斉に前記サービス情報を配信する付記１に記載の情報配信システム。
【０１０７】
（付記３）
前記地域毎に配置された無線装置が、携帯電話網のセル毎に配置された基地局の送受信装置であり、前記中継装置が、セルブロードキャストにより前記サービス情報を前記基地局の送受信装置に一斉配信させる付記２に記載の情報配信システム。
【０１０８】
（付記４）
車両に搭載された車両用情報処理装置と、当該車両用情報処理装置からの車両情報を中継する中継装置と、当該中継装置にネットワークを介して接続する配信サーバとを備えた情報配信システムが実行する情報配信方法であって、
車両用情報処理装置が、
車両の状態又は車両の周囲の状態を検出するステップと、
前記車両情報を前記配信サーバに送信するステップと、
を実行し、
中継装置が、
車両用情報処理装置から前記車両情報を受信するステップと、
受信した前記車両情報を前記配信サーバに中継するステップと、
を実行し、
前記車両用情報処理装置或いは中継装置が、
前記車両用情報処理装置の位置を示す位置情報を生成し、前記配信サーバに送信するステップを実行し、
前記配信サーバが、
前記車両情報及び位置情報を受信するステップと、
前記車両情報に基づいて配信するサービス情報を生成するステップと、
位置情報に基づいて前記サービス情報を配信する地域を決定し、当該地域を示す配信地域情報を生成するステップと、
前記配信地域情報及び前記サービス情報を前記中継装置に送信し、前記サービス情報を前記配信地域情報が示す地域の端末に一斉配信させるステップと、
を実行する情報配信方法。
【０１０９】
（付記５）
前記地域毎に無線装置が配置され、前記中継装置が前記配信サーバから受信した配信地域情報によって示される地域の無線装置に前記サービス情報を送信し、前記無線装置が前記サービス情報を電波で出力することにより、当該電波を受信可能な前記端末に一斉に前記サービス情報を配信する付記４に記載の情報配信方法。
【０１１０】
（付記６）
前記地域毎に配置された無線装置が、携帯電話網のセル毎に配置された基地局の送受信装置であり、前記中継装置が、セルブロードキャストにより前記サービス情報を前記基地局の送受信装置に一斉配信させる付記５に記載の情報配信方法。
【符号の説明】
【０１１１】
１０  情報配信システム
１  車載装置(車両用情報処理装置)
２  無線装置（路側機）
３  中継装置
６  情報配信サーバ
７  端末
【図１】
0005678564.tif 000002
【図２】
0005678564.tif 000003
【図３】
0005678564.tif 000004
【図４】
0005678564.tif 000005
【図５】
0005678564.tif 000006
【図６】
0005678564.tif 000007
【図７】
0005678564.tif 000008
【図８】
0005678564.tif 000009
【図９】
0005678564.tif 000010
【図１０】
0005678564.tif 000011
【図１１】
0005678564.tif 000012
【図１２】
0005678564.tif 000013